(57)【要約】【課題】装置本体あるいはリモコン装置による録画予約の困難な条件下で情報の記録開始および記録終了を設定可能な情報記録再生装置を提供する。【解決手段】記録再生装置１の主電源がオフである待機状態を含むさまざまな動作条件下であっても、携帯端末２０１からの録画条件が含まれているメールＭをサーバ２９９から取得して、確実に、録画予約登録が可能となる。【選択図】          図２
2004186809.tif 000002
【特許請求の範囲】
【請求項１】
ビデオデータを記録し、または再生する記録再生装置において、
録画予約内容が記載された録画予約メールを取り込む間隔を指定する手段と、
前記間隔ごとに前記録画予約メールを取得し、前記録画予約内容に応じて録画予約を登録する手段と、
を具備することを特徴とする情報記録再生装置。
【請求項２】
ビデオデータを記録し、または再生する記録再生装置において、
主電源が入っていない状態で、内部電源が入るときに録画予約内容が記載された録画予約メールを取り込む手段と、
前記録画予約内容に応じて録画予約を登録する手段と、
を具備することを特徴とする情報記録再生装置。
【請求項３】
ビデオデータを記録し、または再生する記録再生装置において、
録画予約が不可能な動作が終了したときに録画予約内容が記載された録画予約メールを取り込む手段と、
前記録画予約内容に応じて録画予約を登録する手段と、
を具備することを特徴とする情報記録再生装置。
【請求項４】
ビデオデータを記録し、または再生する記録再生装置において、
動作終了後電源オフする設定で、動作が終了したときに録画予約内容が記載された録画予約メールを取り込む手段と、
前記録画予約内容に応じて録画予約を登録する手段と、
を具備することを特徴とする情報記録再生装置。
【請求項５】
ビデオデータを記録し、または再生する記録再生装置において、
主電源が入っていない状態で、定期的に内部電源を投入し録画予約内容が記載された録画予約メールを取り込む手段と、
前記録画予約内容に応じて録画予約を登録する手段と、
を具備することを特徴とする情報記録再生装置。
【請求項６】
ビデオデータを記録し、または再生する記録再生装置において、
主電源投入時に録画予約内容が記載された録画予約メールを取り込む手段と、
前記録画予約内容に応じて録画予約を登録する手段と、
を具備することを特徴とする情報記録再生装置。
【請求項７】
記録媒体に情報を記録し、記録媒体から既に記録されている情報を再生可能な情報記録再生部と、
この情報記録再生部を予め決められた動作開始時刻に動作させるとともに予め決められた動作終了時刻に停止させるタイマー部と、
このタイマー部の動作情報を保持可能なメモリ部と、
前記タイマー部に、外部から、動作開始時刻と動作終了時刻を入力設定可能な通信制御部と、
前記タイマー部に常時通電可能で、前記情報記録再生部および前記通信制御部に対して、外部操作または前記タイマー部の管理により選択的に通電可能とする主電源内部制御可能型スイッチと、
前記タイマー部の時刻補正に用いられる基準値を外部から受信可能な電波時計受信部と、
前記通信制御部を経由して供給される動作開始時刻および動作終了時刻を参照して前記情報記録再生部、前記タイマー部、前記主電源内部制御可能型スイッチおよび前記電波時計受信部の動作を制御する主制御部と、
を有することを特徴とする情報記録再生装置。
【請求項８】
前記通信制御部は、外部からメール形態で供給される指示を受け取って、前記タイマー部の動作開始時刻と動作終了時刻に対応する情報を取得可能であることを特徴とする請求項７記載の情報記録再生装置。
【請求項９】
前記通信制御部は、前記タイマー部の制御により主電源がオンされる際に外部からメール形態で供給される指示を受け取って、前記タイマー部の動作開始時刻と動作終了時刻に対応する情報を取得可能であることを特徴とする請求項７記載の情報記録再生装置。
【請求項１０】
前記タイマー部の制御により主電源がオンされるタイミングは、前記電波時計受信部による前記タイマー部の時刻補正のための起動時であることを特徴とする請求項９記載の情報記録再生装置。
【請求項１１】
前記通信制御部は、前記タイマー部の制御により主電源がオンされて前記情報記録再生部が動作されている場合に、その動作の終了時に、外部からメール形態で供給される指示を受け取って、前記タイマー部の動作開始時刻と動作終了時刻に対応する情報を取得可能であることを特徴とする請求項７記載の情報記録再生装置。
【請求項１２】
前記通信制御部は、前記タイマー部の制御により主電源がオフされている状態で外部からメール形態で供給される指示に、前記主電源内部制御可能型スイッチをオンさせる指示が含まれている場合に、前記主電源内部制御可能型スイッチをオンさせて、前記メモリ部へ前記タイマー部の動作情報を書き込み可能とすることを特徴とする請求項７記載の情報記録再生装置。
【発明の詳細な説明】
【０００１】
【発明の属する技術分野】
本発明は、情報の記録および再生が可能な情報記録再生装置に係り、特に情報の記録開始および記録終了を、外部から設定可能な情報記録再生装置に関する。
【０００２】
【従来の技術】
例えば画像情報等のビデオデータおよび制御情報が記録されている記録媒体を再生または記録する情報記録再生装置では、録画開始日時／録画終了日時、録画ソース、記録レートおよび記録方式（音声記録形式）等（以下、録画予約条件と略称する）が、装置本体または付属するリモコン装置から設定されることで、録画予約された日時に、所定の記録レートおよび記録方式により、希望（設定）した録画ソースが記録される。
【０００３】
なお、今日、録画予約に用いられるデータのうち録画（放送）開始日時／録画（放送）終了日時および録画ソース等に代表される配信側から配信される固有のデータについては、例えばＧコードと呼ばれる録画予約コードを入力することにより、上述した装置本体またはリモコン装置から入力すべき情報の量を低減可能な情報記録再生装置も実用化されている。
【０００４】
また、延長設定部８を有し、録画中の番組の放送時間が延長されて終了時刻が変更になった場合や、録画開始前に終了時刻が誤って入力されていることに気づいた場合等において、延長設定部８を１回操作する毎に、１５分単位で録画終了時刻を延長できるリモコン装置が、既に提案されている（例えば、特許文献１参照）。
【０００５】
【特許文献１】
特開平８−３０６０９７号公報（段落［００１５］〜［００１６］、図１、要約）
【０００６】
【発明が解決しようとする課題】
しかしながら、録画予約後、情報記録再生装置から離れた位置から戻れない、あるいは外出等の理由により、既に入力した録画予約内容を変更しなければならない場合または新たな録画予約を追加する必要が生じた場合等においては、予約内容の変更または追加ができない問題がある。
【０００７】
この発明の目的は、上述した問題点を解決するもので、装置本体あるいはリモコン装置による録画予約の困難な条件下で情報の記録開始および記録終了を設定可能な情報記録再生装置を提供することである。
【０００８】
【課題を解決するための手段】
本発明は、ビデオデータを記録し、または再生する記録再生装置において、録画予約内容が記載された録画予約メールを取り込む間隔を指定する手段と、前記間隔ごとに前記録画予約メールを取得し、前記録画予約内容に応じて録画予約を登録する手段と、を具備することを特徴とする情報記録再生装置である。
【０００９】
また本発明は、記録媒体に情報を記録し、記録媒体から既に記録されている情報を再生可能な情報記録再生部と、この情報記録再生部を予め決められた動作開始時刻に動作させるとともに予め決められた動作終了時刻に停止させるタイマー部と、このタイマー部の動作情報を保持可能なメモリ部と、前記タイマー部に、外部から、動作開始時刻と動作終了時刻を入力設定可能な通信制御部と、前記タイマー部に常時通電可能で、前記情報記録再生部および前記通信制御部に対して、外部操作または前記タイマー部の管理により選択的に通電可能とする主電源内部制御可能型スイッチと、前記タイマー部の時刻補正に用いられる基準値を外部から受信可能な電波時計受信部と、前記通信制御部を経由して供給される動作開始時刻および動作終了時刻を参照して前記情報記録再生部、前記タイマー部、前記主電源内部制御可能型スイッチおよび前記電波時計受信部の動作を制御する主制御部と、を有することを特徴とする情報記録再生装置である。
【００１０】
【発明の実施の形態】
以下、図面を参照してこの発明の情報記録再生装置を詳細に説明する。
【００１１】
図１に示す記録再生装置１は、入力情報を所定の記録媒体に記録し、再生供給に応じて既に記録されている情報を再生可能な情報記録再生部１１１、情報記録再生部１１１への記録および情報記録再生部１１１からの再生および以下に説明する各部の動作を制御するマイクロコンピュータ（ＭＰＵすなわち主制御装置）１０１を有する。
【００１２】
情報記録再生部１１１は、例えばＤＶＤ（Ｄｅｇｉｔａｌ  Ｖｅｒｓａｔｉｌｅ  Ｄｉｓｋ）規格に準拠し、対応する規格で製造されたディスクＤ、例えばＤＶＤ−ＲＡＭディスクに情報の記録および再生が可能なディスクドライブユニット１１３、およびディスクドライブユニット１１３にセットされたディスクＲに記録されるデータあるいはディスクＲから再生されたデータの一定量を一時的に保持可能なバッファリングメモリとして機能する一時記録部１１５を含む。なお、一時記録部１１５は、具体的には、記録途中でディスクの残り記録容量を使い切ってしまった場合において、ディスクＲが記録容量の残っているディスクに交換されるまでの間、記録対象である情報を、一時記憶しておくことに利用できる。また、ディスクドライブユニット１１３に加えて、例えば大容量の情報の記録および検索（再生）に適したハードディスクドライブＨＤＤが併設されてもよい。
【００１３】
情報記録再生部１１１には、入力された情報を情報記録再生部１１１が記録可能にエンコードするエンコーダ１２１、情報記録再生部１１１から出力された情報を、以下に説明する出力装置が表示可能にデコードするデコーダ１３１が接続されている。
【００１４】
エンコーダ１２１には、記録対象である情報が外部から入力可能なＡＶ入力部１２３、および例えば放送事業者等に代表される情報配信者から配信される映像および音声が受信可能なチューナ部１２５が接続されている。
【００１５】
デコーダ１３１には、（デコーダ１３１により）デコードされた再生情報を、再生装置（テレビ）あるいはモニタ装置に代表される出力装置に供給するＡＶ出力部１３３が接続されている。
【００１６】
ＭＰＵ１０１にはまた、録画（放送）開始日時／録画（放送）終了日時、録画ソース、記録レートおよび記録方式（音声記録形式）等（以下、録画予約と略称する）の録画予約情報が、記録再生装置１本体もしくは付属する図示しないリモコン装置から入力可能なタイマーマイコン部１４１が接続されている。
【００１７】
なお、タイマーマイコン部１４１には、記録再生装置１の動作の管理に利用される時刻を管理するタイマー回路（時計ユニット）１４３、外部から標準時刻情報を受信可能な電波時計受信部１４５、商用電源に接続されたメインスイッチＭＳＷをユーザの要求に応じてオンさせるスイッチ制御部１４７およびユーザからの操作要求（指示）を受け付けるユーザ操作入力部１４９が接続されている。
【００１８】
ＭＰＵ１０１にはまた、タイマーマイコン部１４１に入力された情報あるいは装置１本体の動作状態が表示される表示部１５１、ネットワーク網ＮＴを介して外部からの録画予約等の入力や指定された返信先に録画予約の可否を報知可能な通信制御部１０３および録画予約された情報等が保持可能なメモリ１０５が接続されている。なお、通信制御部１０３には、後段に説明するが、ネットワーク網ＮＴにおいて広く利用されているブラウザソフト（ネットワーク網内で情報の検索や閲覧が可能な応用ソフトウェア）および所定の条件下で外部にメールを送信可能な図示しないダイヤラー等が予め用意されている。
【００１９】
ＭＰＵ１０１は、メモリ１０５に記憶されている制御プログラムに従い、ディスクＲへの記録制御、コピー制御、削除制御、ユーザ操作入力部１４９を介してタイマーマイコン部１４１へ入力された記録再生装置の動作の変更、表示部１５１を用いたユーザへの表示等を制御する。
【００２０】
メインスイッチＭＳＷは、商用電源に接続された状態で、ＭＰＵ１０１およびタイマーマイコン部１４１を動作可能な２次回路（図示しない）を常時オン状態に維持可能で、ユーザによるスイッチ操作あるいはタイマーマイコン部１４１の制御により装置内部で起動可能な主電源内部制御可能型である。
【００２１】
タイマーマイコン部１４１は、タイマー回路（時計ユニット）１４３をモニタしながら、ユーザにより設定された録画予約情報を管理し、録画予約開始時刻に達した時点でＭＰＵ１０１に記録開始、および録画予約終了時刻に達した時点でＭＰＵ１０１に記録終了を指示する。また、タイマーマイコン部１４１は、時計ユニット（タイマー回路）１４３をキャリブレーションする時刻修正タイミングまでの時間を監視し、時刻修正タイミングに到達するよりも所定時間前にメインスイッチＭＳＷの主電源をオンさせて電波時計受信部１４５を待機状態にセットする。
【００２２】
スイッチ制御部１４７は、タイマーマイコン部１４１からメインスイッチＭＳＷのオンが指示されるとメインスイッチＭＳＷを起動（オン）させ、オフが指示されるまでの間、メインスイッチＭＳＷのオン状態を保持させる。
【００２３】
ユーザ操作入力部１４９は、ユーザからの操作要求、例えば、記録再生装置の動作の変更や録画予約情報の受け付け等が可能で、図示しないがリモコン（リモートコントロール端末）からの制御信号を受け入れるデータ受信部、装置１本体の図示しない操作パネルによるユーザからの直接入力指示に対応して制御信号をタイマーマイコン部１４１へ出力可能な図示しない制御信号入力部を含む。
【００２４】
以下、記録再生装置１の主電源すなわちメインスイッチＭＳＷがユーザによりオンされているオン状態で携帯端末２０１から録画予約情報が入力される場合の動作の一例を、図２を用いて以下に説明する。
【００２５】
図２に示したように、例えばパーソナルコンピュータＰＣや携帯電話ＣＰ等の既存の通信可能機器（携帯端末）２０１により、ユーザから録画予約情報を含むＥ−メール（以下単にメールと呼称する）Ｍが、メールサーバ（商用通信制御装置）２９９に送信されると、記録再生装置１は、メールサーバ２９９からメールＭを受信し、メール本文中の特定の符号列を予約情報と判断し、記録再生装置１に録画予約を設定する。なお、メールサーバ２９９は、図１により前に説明したネットワーク網ＮＴを介してユーザが指定した記録再生装置１の通信制御部１０３からアクセス可能に、携帯端末２０１により送信されたメールＭを保持する。また、携帯端末２０１から入力される録画予約情報は、メール本文に所定の形式で表示された符号列として、転送される。
【００２６】
記録再生装置１の電源が入っている状態での記録再生装置１からメールサーバ２９９へのアクセスは、ユーザが設定した時間間隔で実行可能である。
【００２７】
図３に、メール予約録画設定の表示の一例を示す。表示中のＰＯＰ３アクセス間隔が、メールサーバ２９９へのアクセス間隔である。この例では、１２０分が設定されており、記録再生装置１のメインスイッチＭＳＷがオンされた時点から１２０分毎にメールサーバ２９９へ、メールＭの着信の有無がチェックされる。
【００２８】
図４は、アクセス間隔時間毎の記録再生装置の動作を説明する概略図である。
【００２９】
時計ユニット１４３により管理されている時刻がアクセス間隔時間に到達すると、ＭＰＵ１０１により記録再生装置１の動作状態がチェックされるとともに、既に設定されている録画予約数がメモリ１０５から取得され、録画予約が可能か判断される（Ｓ１）。例えば録画予約数が録画予約最大数に達していた場合は、新規の録画予約は登録できないため、新たな録画予約は、追加できない。また、予約録画実行中等であって、メモリ１０５内の録画予約情報テーブルが更新できない状態であれば、録画予約の設定はできない（Ｓ１−Ｎｏ）。
【００３０】
録画予約ができない場合には、予約設定ができないことをメールで返信し（Ｓ２）、次回のメールＭの取り込みを可能とするためにＰＯＰ３アクセス間隔計測タイマが起動され（Ｓ３）、メールサーバ２９９へのアクセス（メール取り込み）動作が終了する。
【００３１】
録画予約が可能であれば（Ｓ１−Ｙｅｓ）、メールサーバ２９９から、メールＭを取得する（Ｓ４）。
【００３２】
予約メールの判断は、例えば「ｏｐｅｎ」の文字列から始まる１行の文字列の有無をチェックし、「ｏｐｅｎ」の文字列を含むメールＭを予約メールと判断する。
【００３３】
具体的には、例えば「ｏｐｅｎ，ｐａｓｓ，２００２０８３０，１０００，１２００，４，Ｓ，Ａ」と記述されたメールＭが着信した場合、「ｏｐｅｎ」は予約メールであることを示し、「ｐａｓｓ」はパスワード、「２００２０８３０」は２００２年８月３０日、「１０００，１２００」は１０時００分開始で１２時００分終了、「４，Ｓ，Ａ」は録画ソースとしてチャンネル番号４、記録レートとして画質ＳＰ（標準記録モード）、音質ＤＤ１（ドルビーデジタル１）を指定すると解釈する。
【００３４】
なお、８桁の数字により定義される情報として、Ｇコードと呼ばれる録画予約コードである可能性もあるので、上述した「ｐａｓｓ」に続く数字例が、録画予約コードか否かが判断される（Ｓ５）。
【００３５】
数字列が録画予約コードであれば、少なくとも先頭から４桁は西暦に対応する数字以外の組み合わせであるから、録画予約コードであることが判断できる（Ｓ５−Ｙｅｓ）。この場合、録画開始日時と終了時間およびチャンネル番号（録画予約コードに関しては、録画ソースは選択する必要がない）が得られるので、続いて、記録レートが取み取られ（Ｓ６）、メモリ１０５の録画予約情報テーブルに追加登録される（Ｓ７）。
【００３６】
数字列が録画予約コードではない場合（Ｓ５−Ｎｏ）、メールＭから録画予約に必要な録画開始日時、録画終了時間、録画ソースおよび記録レートが取み取られ、メモリ１０５の録画予約情報テーブルに追加登録される（Ｓ７）。
【００３７】
次に、引き続いてメール取り込みが継続可能（メール取り込み時間終了）か判断され（Ｓ８）、継続可能であれば（Ｓ８−Ｎｏ）、ステップＳ１の録画予約可能な状態の判定からステップＳ８までが繰り返えされる。なお、メール取り込み継続が可能かの判断は、メール取り込み開始から一定時間経過後、またはユーザによるメール取り込みキャンセル要求があった場合とする。
【００３８】
メール取り込みが終了したら（Ｓ８−Ｙｅｓ）、次回のメール取り込み用に、ＰＯＰ３アクセス間隔計測タイマを起動し終了する（Ｓ３）。
【００３９】
図５は、図４を用いて前に説明した記録再生装置の動作の変形例を説明するものである。図４と図５の異なる点は、メールサーバからのメール取り込み処理と、録画予約可能判定の処理の順番と、録画予約不可能だったときの処理でそれ以外は、図４と同一である。
【００４０】
アクセス間隔時間に到達したとき、まず始めにメールサーバにアクセスし、予約メールを取得する（Ｓ１１）。
【００４１】
予約メールを取得後、録画予約可能かの判定を行い（Ｓ１２）、録画予約が可能であれば（Ｓ１２−Ｙｅｓ）、図４に示したステップＳ５〜Ｓ８と同様の手順で予約登録する。すなわち、取得したメールが録画予約コードを含むか否かが判断され（Ｓ１４）、録画予約コードを含む場合は（Ｓ１４−Ｙｅｓ）、続いて、記録レートが取み取られ（Ｓ１５）、メモリ１０５の録画予約情報テーブルに追加登録される（Ｓ１６）。また、録画予約コードを含まない場合には（Ｓ１４−Ｎｏ）、メールＭから録画予約に必要な録画開始日時、録画終了時間、録画ソースおよび記録レートが取み取られ、メモリ１０５の録画予約情報テーブルに追加登録される（Ｓ１６）。
【００４２】
予約メールを取得したものの、予約録画が不可能であれば（Ｓ１２−Ｎｏ）、直ちにメール予約ができなかったことを伝えるメールを送信する（Ｓ１３）。
【００４３】
なお、録画予約情報テーブルに予約が登録されたら、メール取り込みが終了したか否かがチェックされ（Ｓ１７）、終了後、次回のメール取り込み用に、ＰＯＰ３アクセス間隔計測タイマを起動し終了する（Ｓ１８）。
【００４４】
次に、記録再生装置の主電源が入っていない状態において、メールを使用した録画予約情報の取り込み動作を、図６を用いて説明する。
【００４５】
記録再生装置１においては、タイマー回路１４３で計数されている時刻が予め設定されている時刻に近づくと（タイマーマイコン部１４１からの指示に応じ）スイッチ制御部１４７の制御によりメインスイッチＭＳＷが起動される。これにより、時刻あわせあるいは時刻補正のために、装置１の内部電源がオンされる。
【００４６】
時刻あわせあるいは時刻補正により内部電源がオンされることで、図４または図５を用いて前に説明したと同様の手順で、メールによる録画予約処理を実行される。なお、図６は、図４に示した手順を含む例を示しているが、図５に示した手順を含む場合も同様の効果が得られる。
【００４７】
すなわち、図４に示したステップＳ１〜Ｓ８もしくは図５に示したステップＳ１１〜Ｓ１７により、録画予約情報に従って予約が終了すると、電波時計受信部１４５が動作され、電波時計受信部１４５が受信した基準時刻に従ってタイマー回路１４３の時刻データがキャリブレーションされる（Ｓ２３）。
【００４８】
図７は、記録再生装置が録画動作中であって、メールを着信したにも拘わらず録画予約できない場合に、メールによる録画予約を可能とする制御の一例を示している。
【００４９】
既に説明したように、録画予約に従って録画中は、メモリ１０５内の録画予約情報テーブルが更新できないので、メールサーバ２９９からメールＭを取り込むことができたとしても、録画予約を登録できない。
【００５０】
このため、録画予約に従って録画中である場合は、録画予約されている録画が終了する時刻に達し、タイマーマイコン部１４１から予約録画終了が報知された時点で、録画終了処理を行った後（Ｓ３１）、図４または図５を用いて前に説明したと同様の手順でメールＭを取り込み、メールに指示されている録画予約内容を、メモリ１０５に登録（設定）することで、新たにメールＭにより指示された録画予約が可能となる。なお、図７は、図４に示した手順を含む例を示しているが、図５に示した手順を含む場合も同様の効果が得られる。
【００５１】
図８は、図７を用いて説明した録画予約の変形例を説明する概略図である。
【００５２】
録画予約に従って録画中である場合は、録画予約されている録画が終了する時刻に達し、タイマーマイコン部１４１から予約録画終了が報知された時点で、録画終了処理を行った後（Ｓ３１）、多くの場合、次の録画予約で予約された時刻が到来するまでは、記録再生装置１の主電源がオフされる（メインスイッチＭＳＷが遮断される）。なお、この状態は、図７により説明した処理終了と同じ状態である。
【００５３】
しかしながら、メールＭを取り込んで録画予約を登録するためには、主電源がオンされていなければならないことから、直前の録画予約が終了した時点で電源オフが規定されているか否かを判断し（Ｓ４１）、録画終了後に電源オフが規定されている場合には（Ｓ４１−Ｙｅｓ）、スイッチ制御部１４７に対し、メインスイッチＭＳＷがオフされるまでの時間の延長が指示される（Ｓ４２）。
【００５４】
以下、図４または図５を用いて前に説明したと同様の手順でメールＭを取り込み、メールに指示されている録画予約内容を、メモリ１０５に登録（設定）することで、新たにメールＭにより指示された録画予約が可能となる。
【００５５】
録画予約情報に従って予約が終了すると、ＭＰＵ１０１から、スイッチ制御部１４７に、メインスイッチＭＳＷのオフが指示され、主電源が遮断される（Ｓ４３）。
【００５６】
このように、図７あるいは図８に示した録画予約動作においては、予約録画、画像のコピーあるいは削除、ディスクのフォーマット処理等において、それぞれの動作が終了した後、主電源をオフするか電源オンのまま継続するかを設定することができる。
【００５７】
図９は、図４ないし図８を用いて説明したメールによる記録再生装置への録画予約動作のさらに別の例を説明する概略図である。
【００５８】
例えば携帯電話２０１からの新規メールＭが届いたことがメールサーバ２９９により記録再生装置１のＭＰＵ１０１に報知されると、メインスイッチＭＳＷがオフであっても、予約メールを取り込むためにスイッチ制御部１４７を介して、メインスイッチＭＳＷがオンされ、装置１が起動される（Ｓ５１）。この場合、通常の電源投入と異なり、メール取り込みのために、メールを取り込み機能と録画予約する機能のみが起動されてもよい（ＭＰＵメール起動処理）。
【００５９】
すなわち、通常の起動時には、ディスクドライブユニット１１３に挿入されているメディア（ディスク媒体）の認識や、エンコーダ１２１，デコーダ１３１のイニシャライズ等のルーチンも実行されるが、メールによる録画予約の点では、メールを取り込み機能と録画予約する機能以外については、省略されてもよい。
【００６０】
以下、図４または図５を用いて前に説明したと同様の手順でメールＭを取り込み、メールに指示されている録画予約内容を、メモリ１０５に登録（設定）することで、新たにメールＭにより指示された録画予約が可能となる。
【００６１】
また、録画予約情報に従って予約が終了すると、ＭＰＵ１０１から、スイッチ制御部１４７に、メインスイッチＭＳＷのオフが指示され、主電源が遮断される（Ｓ４３）。
【００６２】
図１０は、図９を用いて説明したメールによる記録再生装置への録画予約動作のさらに別の例を説明する概略図である。
【００６３】
図１０に示した通り、記録再生装置１の主電源が入っていない状態からユーザ操作によりメインスイッチＭＳＷがオンされて装置１の主電源がオンされると、通常の起動処理（ＭＰＵ起動処理）が実行される（Ｓ６１）。
【００６４】
ＭＰＵ起動処理では、エンコーダ１２１およびデコーダ１３１起動、ディスクドライブユニット１１３のリセット、メディアの認識等が所定のイニシャライズシーケンスに従って実行される（Ｓ６２）。
【００６５】
ＭＰＵ起動処理終了後、ユーザによるキー操作に対応した制御信号の受け付けを可能とする前に、図４または図５を用いて前に説明したと同様の手順でメールを取り込み、メールに指示されている録画予約内容を、メモリ１０５に登録（設定）することで、新たにメールＭにより指示された録画予約が可能となる。
【００６６】
以上説明したように、記録再生装置の主電源がオンされている間は定期的に、主電源がオフされている状態では時刻あわせ動作時に、メモリに記憶されている録画予約に基づく予約録画中等の録画データの更新ができない動作の終了時に、予約録画が終了した後主電源がオフされる設定の動作終了時においてはその終了時に、待機中（主電源オフ時）に新規予約メールの到着した時点に、主電源オフのスタンバイ中に定期的に、主電源がオンされた起動時等のさまざまな動作条件下であっても、録画条件が含まれている録画予約メールを取得できるので、確実に、Ｅ−メールによる録画予約登録が可能となる。
【００６７】
なお、この発明は、上記各実施の形態に限定されるものではなく、その実施の段階ではその要旨を逸脱しない範囲で種々な変形・変更が可能である。また、各実施の形態は、可能な限り適宜組み合わせて実施されてもよく、その場合、組み合わせによる効果が得られる。
【００６８】
【発明の効果】
以上説明したようにこの発明によれば、記録再生装置の電源が入っている状態で定期的に予約メールを取得することにより、Ｅ−メールによる録画予約が可能となる。
【００６９】
また、記録再生装置の主電源が入っていないスタンバイ状態で、時刻あわせによる内部電源投入時に予約メールを取得することにより、主電源が入っていなくてもＥ−メールによる録画予約が可能となる。
【００７０】
さらに、録画予約ができない動作の終了時に予約メールを取得することにより、定期処理では登録できなかった場合でも、Ｅ−メールによる録画予約が可能となる。
【００７１】
またさらに、終了後電源オフする設定の動作が終了時に予約メールを取得することにより、定期処理が動作する前に電源オフされる場合で、Ｅ−メールによる録画予約が可能となる。
【００７２】
さらにまた、記録再生装置の主電源が入っていない状態で、新規メールがメールサーバに届いた場合に予約メールを取得することにより、主電源が入っていなくてもＥ−メールによる録画予約が可能となる。
【００７３】
またさらに、記録再生装置の主電源が入っていない状態で、定期的に内部電源を起動し、予約メールを取得することにより、主電源が入っていなくてもＥ−メールによる録画予約が可能となる。
【００７４】
さらにまた、記録再生装置の主電源投入時に予約メールを取得することにより、Ｅ−メールによる録画予約が可能となる。
【００７５】
従って、装置本体あるいはリモコン装置による録画予約の困難な条件下で情報の記録開始および記録終了を設定可能となり、録画予約忘れ等により録画ができなくなることが防止できる。
【図面の簡単な説明】
【図１】この発明の第１の実施例にかかる記録再生装置の一例を示す概略ブロック図。
【図２】記録再生装置へのメールの着信及び記録再生装置からのメールの送信、およびメールサーバと携帯端末との間のメールの送受信例を説明する概略図。
【図３】メール録画予約機能設定画面の一例を示す概略図。
【図４】主電源がオン状態でのメール取り込み方法を説明するフローチャート。
【図５】主電源がオン状態でのメール取り込み方法を説明するフローチャート。
【図６】主電源が入っていない状態でのメール取り込み方法を説明するフローチャート。
【図７】予約録画処理が終了したときのメール取り込み方法を説明するフローチャート。
【図８】動作終了後電源オフ設定で、予約録画処理が終了したときのメール取り込み方法を説明するフローチャート。
【図９】主電源が入っていない状態で、ＭＰＵメール起動処理で主電源をオンさせて、メールを取り込む例を説明するフローチャート。
【図１０】主電源が入っていない状態で、通常のＭＰＵ起動処理で主電源をオンさせて、メールを取り込む例を説明するフローチャート。
【符号の説明】
１…記録再生装置、
１０１…主制御装置（ＭＰＵ）、
１０３…通信制御部、
１０５…メモリ、
１１１…情報記録再生部、
１１３…ディスクドライブユニット、
１１５…バッファメモリ（一時記録部）、
１２１…エンコーダ、
１２３…ＡＶ入力部、
１２５…チューナ部、
１３１…デコーダ、
１３３…ＡＶ出力部、
１４１…タイマーマイコン部、
１４３…タイマー回路（時計ユニット）、
１４５…電波時計受信部、
１４７…スイッチ制御部、
１４９…ユーザ操作入力部、
１５１…表示部、
２０１…携帯端末、
２９９…メールサーバ（商用通信制御装置）、
ＭＳＷ…メインスイッチ、
ＨＤＤ…ハードディスクドライブ。
【図１】
2004186809.tif 000003
【図２】
2004186809.tif 000004
【図３】
2004186809.tif 000005
【図４】
2004186809.tif 000006
【図５】
2004186809.tif 000007
【図６】
2004186809.tif 000008
【図７】
2004186809.tif 000009
【図８】
2004186809.tif 000010
【図９】
2004186809.tif 000011
【図１０】
2004186809.tif 000012